(57)【要約】      （修正有）【課題】外力作用を受けると伸びたり縮んだりし、収納体積が小さく、運搬移動に便利、使用寿命が長く、安全性が高いセイフティ警告表示器を提供する。【解決手段】セイフティ警告表示器１００は伸縮警告表示体３０を含む。伸縮警告表示体３０は、一体成形した可撓性蛇腹形管であり、底端３１、頂端３２、及び底端と頂端間に連結される蛇腹段３３を備える。【選択図】図１
0003206029.tif 000002
【実用新案登録請求の範囲】
【請求項１】
伸縮警告表示体を含むセイフティ警告表示器であって、
前記伸縮警告表示体は、一体成形した可撓性蛇腹形管であり、底端、頂端、及び前記底端と前記頂端間に連結される蛇腹段を備え、外力作用を受けると伸びたり縮んだりすることを特徴とするセイフティ警告表示器。
【請求項２】
前記伸縮警告表示体は、円錐形であり、前記底端の外径は前記頂端の外径を超え、前記蛇腹段の外径は前記底端との連結箇所より前記頂端との連結箇所に向かって徐々に縮小していくことを特徴とする請求項１記載のセイフティ警告表示器。
【請求項３】
前記伸縮警告表示体は、円筒形であり、前記底端の外径と前記頂端の外径は同じであることを特徴とする請求項１記載のセイフティ警告表示器。
【請求項４】
前記伸縮警告表示体の前記頂端の中心には外界と内部を繋ぐ貫通穴を形成することを特徴とする請求項１記載のセイフティ警告表示器。
【請求項５】
前記セイフティ警告表示器は、さらに底板を含み、
前記伸縮警告表示体の前記底端には軸心に向かう環状の結合突出部を延伸させ、
前記底板は、基板及び結合環部を備え、前記基板は、底面及び前記底面の背面位置にある上面を備え、前記結合環部は、前記基板の前記上面に一体成形し、前記結合環部の外周面には環状で窪みのある結合環部溝及び前記結合環部溝と前記結合環部の前記上面間につながるカット部を備え、前記カット部は前記結合環部の軸方向に対して傾斜するように形成され、前記伸縮警告表示体の前記結合突出部を前記底板の前記カット部から挿入し、前記結合環部溝までスライド移動させ、さらに一回転させると、前記伸縮警告表示体の前記結合突出部と前記底板の前記結合環部溝とが嵌着することを特徴とする請求項１記載のセイフティ警告表示器。
【請求項６】
前記セイフティ警告表示器は更に重りを含み、
前記結合環部と前記基板の前記上面間に、それらによって囲まれ、上部が開いた状態の配置室を形成し、前記重りをその配置室に入れることを特徴とする請求項５記載のセイフティ警告表示器。
【請求項７】
前記セイフティ警告表示器は、さらに増高結合環及び増高伸縮警告表示体を含み、
前記増高結合環の外周面には、環状で窪みのある底結合環部溝、前記底結合環部溝から一端面間に繋がる底カット部、環状で窪みのある上部結合環部溝、及び前記上部結合環部溝から一端面間に繋がる頂部カット部を備え、前記底カット部は前記増高結合環の軸方向に対して傾斜するように形成され、前記頂部カット部は前記増高結合環部の軸方向に対して傾斜するように形成され、
前記増高伸縮警告表示体は、一体成形した可撓性蛇腹形管であり、増高底端、増高頂端、及び前記増高底端と前記増高頂端間に連結される増高蛇腹段を備え、前記増高底端には軸心に向かう環状の底結合突出部を延伸させ、
前記伸縮警告表示体の頂端には軸心に向かう環状の上部結合突出部を延伸させ、
前記伸縮警告表示体の頂端の前記上部結合突出部を前記増高結合環の前記底カット部より挿入し、前記底結合環部溝までスライド移動させ、さらに一回転させると、前記伸縮警告表示体の前記上部結合突出部と前記増高結合環の前記底結合環部溝とが嵌着し、前記増高伸縮警告表示体の前記底結合突出部を前記増高結合環の前記頂部カット部より挿入し、前記上部結合環部溝までスライド移動させ、さらに一回転させると、前記増高伸縮警告表示体の前記底結合突出部と前記増高結合環の前記上部結合環部溝とが嵌着することを特徴とする請求項１記載のセイフティ警告表示器。
【請求項８】
前記増高結合環は一体成形であり、底連結部、上連結部、及び前記底連結部と前記上連結部間に連結される中段連結部を備え、前記中段連結部の外径は前記底連結部と前記上連結部の外径を超え、前記底結合環部溝及び前記底カット部は前記底連結部の外周面に位置し、前記上部結合環部溝及び前記頂部カット部は前記上連結部の外周面に位置されることを特徴とする請求項７記載のセイフティ警告表示器。
【請求項９】
前記伸縮警告表示体は円錐形であり、前記増高底端の外径は前記増高頂端の外径を超え、前記増高蛇腹段の外径は前記増高底端との連結箇所より前記増高頂端との連結箇所に向かって徐々に縮小していくことを特徴とする請求項７記載のセイフティ警告表示器。
【請求項１０】
前記増高伸縮警告表示体は円筒形であり、しかも前記増高底端の外径と前記増高頂端の外径は同じであることを特徴とする請求項７記載のセイフティ警告表示器。
【考案の詳細な説明】
【技術分野】
【０００１】
本考案は、セイフティ警告表示器に関する。
【背景技術】
【０００２】
一般に道路の一部に工事、迂回、或いは通行者に警告を与える必要のある場合、交通安全器具として一つ或いは複数のコーン（または三角コーン、パイロン、セイフティコーン等と呼ばれるもの）を目立つ場所や通行禁止場所の地面に立て、その道を避けるよう通行者に注意を促し、交通事故の発生を抑えている。
【０００３】
しかしながら、一般の交通安全器具（または三角コーン、パイロン、セイフティコーン等と呼ばれるもの）は、硬質プラスチックを一体にして製作され、主に、方形の底部、及び底部より一体となり上方向に延伸し外径が徐々に縮小する円錐形体を含む構造である。この種の交通安全器具は重ね合わせることができるが、その実際の体積は縮小できないため、収納の際はかなり場所を取り、運搬の際もかなり力が要り不便である。現有する交通安全用品のコーンは非常に硬く、車両や通行人が不注意に衝突したならコーン自体が損傷し、通行人も怪我をしてしまう。
【０００４】
また、スケートボードやインラインスケートでは、多数のコーンを間隔をあけて配列し、コーン間を滑る運動やトレーニング時の標示機能としているが、使用者がぶつかったり倒れた時に、三角コーンが硬質のため、不快感を与えたり傷を負わせることもある。
【考案の概要】
【考案が解決しようとする課題】
【０００５】
本考案の目的は、従来技術の交通安全警告表示器には、体積が大きく、場所をとり、運搬が不便、壊れ易く、通行者や使用者が怪我をし易い等の欠点がある。本考案はセイフティ警告表示器を提供し、それらの欠点を改善する。
【課題を解決するための手段】
【０００６】
上記目的を達成するために、本考案によるセイフティ警告表示器は、一体成形の可撓性蛇腹形管（もしくは柔性波紋管と呼ぶ）であり、底端、頂端、底端と頂端間に連結する蛇腹段（もしくは波紋段）を備える伸縮警告表示体を含む。よって、伸縮警告表示体は外力作用を受けると伸びたり縮んだりするものである。
【０００７】
セイフティ警告表示器は、さらに底板を含む。伸縮警告表示体の底端には軸心に向かう環状の結合突出部を延伸させる。底板は、基板及び結合環部を備える。基板は、底面及び底面の背面位置にある上面を備える。結合環部は、基板の上面に一体成形し、結合環部の外周面には環状で窪みのある結合環部溝及び結合環部溝と結合環部上面間につながるカット部を備える。カット部は結合環部の軸方向に対して傾斜するように形成される。伸縮警告表示体の結合突出部を底板のカット部から挿入し、結合環部溝までスライド移動させ、さらに一回転させると、伸縮警告表示体の結合突出部と底板の結合環部溝とが嵌着する。
【０００８】
セイフティ警告表示器は、さらに増高結合環及び増高伸縮警告表示体を含む。増高結合環の外周面には、環状で窪みのある底結合環部溝、底結合環部溝から一端面間に繋がる底カット部、環状で窪みのある上部結合環部溝、及び上部結合環部溝から一端面間に繋がる頂部カット部を備える。底カット部は増高結合環の軸方向に対して傾斜するように、頂部カット部は増高結合環部の軸方向に対して傾斜するように形成される。増高伸縮警告表示体は、一体成形した可撓性蛇腹形管であり、増高底端、増高頂端、及び増高底端と増高頂端間に連結される増高蛇腹段を備える。増高底端には軸心に向かう環状の底結合突出部を延伸させ、伸縮警告表示体の頂端には軸心に向かう環状の上部結合突出部を延伸させる。伸縮警告表示体の頂端の上部結合突出部を増高結合環の底カット部より挿入し、底結合環部溝までスライド移動させ、さらに一回転させると、伸縮警告表示体の上部結合突出部と増高結合環の底結合環部溝とが嵌着する。また、増高伸縮警告表示体の底結合突出部を増高結合環の頂部カット部より挿入し、上部結合環部溝までスライド移動させ、さらに一回転させると、増高伸縮警告表示体の底結合突出部と増高結合環の上部結合環部溝とが嵌着する。
【０００９】
セイフティ警告表示器の増高結合環は一体成形されたもので、底連結部、上連結部、及び底連結部と上連結部間に連結される中段連結部を備え、中段連結部の外径は底連結部と上連結部の外径を超える。底結合環部溝及び底カット部は底連結部の外周面に位置し、上部結合環部溝及び頂部カット部は上連結部の外周面に位置される。
【考案の効果】
【００１０】
本考案伸縮警告表示体は、力を受けると蛇腹段が圧縮されて高さが低くなり、大幅に体積を縮小して占有スペースを減らすことができ、しかも、運搬を楽にし省力できる。伸縮警告表示体は可撓性であるため、ぶつかった時に損傷しにくく、使用寿命を延長できる。また、車両や通行者、スケートボード運動者がぶつかった際も、怪我を減らすことができる。よって、収納体積を縮小し、運搬移動に便利で、使用寿命を延長し高い安全性を有する等の効果を実現する。
【図面の簡単な説明】
【００１１】
【図１】本考案の第一実施形態によるセイフティ警告表示器の分解斜視図である。
【図２】図１の第一実施形態によるセイフティ警告表示器を組み立てた状態を示す斜視図である。
【図３】図１の第一実施形態によるセイフティ警告表示器の組立て動作を示す図である。
【図４】図１の第一実施形態によるセイフティ警告表示器の組立て断面図である。
【図５Ａ】図２の第一実施形態によるセイフティ警告表示器に力を加えて圧縮させた状態を示す図である。
【図５Ｂ】図２の第一実施形態によるセイフティ警告表示器を側面方向に力を加えて曲げた状態を示す図である。
【図６】本考案の第二実施形態によるセイフティ警告表示器の分解図である。
【図７】図６の第二実施形態によるセイフティ警告表示器を組み立てた状態を示す図である。
【図８】図６の第二実施形態によるセイフティ警告表示器の組立て動作を示す図である。
【図９】図６の第二実施形態によるセイフティ警告表示器の組立て断面図である。
【図１０】本考案の第三実施形態によるセイフティ警告表示器の斜視図である。
【図１１】本考案の一実施形態による伸縮警告表示体の前面図である。
【考案を実施するための形態】
【００１２】
本考案の技術内容、構造特徴、達成する目的を詳細に説明するため、以下に実施例を挙げ並びに図面を組み合わせて説明する。
【００１３】
図１〜５を参照する。本考案の第一実施形態によるセイフティ警告表示器１００は、底板１０、重り２０、及び伸縮警告表示体３０を含む。
【００１４】
図１〜４を参照する。底板１０は、基板１１及び結合環部１２を備える。基板１１は円角の矩形板体であり、底面１１１及び底面１１１の背面位置にある上面１１２を備え、底面１１１は地面（或いは平面）に安定配置できる。結合環部１２は円形環体であり、基板１１の上面１１２に一体成形し、結合環部１２と基板１１の上面１１１間に、それらによって囲まれ、上部が開いた状態の配置室１３を形成する。結合環部１２の外周面には環状で窪みのある結合環部溝１２１及び結合環部溝１２１と結合環部１２上面間に連結するカット部１２２を備える。カット部１２２は結合環部１２の軸方向に対して傾斜するように形成される。
【００１５】
図１〜４を参照する。重り２０は設定された重量であり、重り２０の外郭は底板１０の配置室１３の形状に符合するものとし、重り２０は金属、石粉、もしくは砂によって成形する。
【００１６】
伸縮警告表示体３０は一体成形した可撓性蛇腹形管であり、円錐形をなす。伸縮警告表示体３０は外力作用を受けると伸びたり縮んだりし、外力作用を受けると圧縮され、外力がなくなると元の形に戻る。伸縮警告表示体３０は、底端３１、頂端３２、及び底端３１と頂端３２間に連結される蛇腹段３３に分かれ、底端３１の外径は頂端３２の外径を超え、蛇腹段３３の外径は底端３１との連結箇所より頂端３２との連結箇所に向かって徐々に縮小していく。底端３１には軸心に向かう環状の結合突出部３１１を延伸させ、頂端３２の中心には外界と内部を繋ぐ貫通穴３２１を形成する。
【００１７】
前述では本考案の第一実施形態によるセイフティ警告表示器１００の各構成要素の紹介をした。次に、その組立て方法及び使用特徴について説明をする。
【００１８】
本考案のセイフティ警告表示器１００を使用する場合、まず重り２０を底板１０の配置室１３内に入れて安定させる。次に、伸縮警告表示体３０の底端３１の結合突出部３１１を底板１０のカット部１２２から挿入し（図３参照）、結合環部溝１２１までスライド移動させ、さらに一回転させると、伸縮警告表示体３０の結合突出部３１１と底板１０の結合環部溝１２１とが嵌着し（図４参照）、本考案の組立て作業が完了する。
【００１９】
本考案の伸縮警告表示体３０は可撓性蛇腹形管を備える。よって収納時には、伸縮警告表示体３０の頂端３２に力を加えて下方に圧すると、頂端３２は底端３１方向に移動し、蛇腹段３３は圧縮されて低くなり（図５Ａ参照）、体積も大幅に縮小するため、占有スペースを減少させ、運搬時にもより気軽に省力できる。伸縮警告表示体３０に可撓性を備えているため、力を加えると側面方向に曲がり（図５Ｂ参照）、並びに元に戻る能力を備える。よって、衝撃を受けた時も壊れにくく、使用寿命を延長できる。しかも、伸縮警告表示体３０に可撓性特質がある故、車両や通行者がぶつかった時も車両や通行者の怪我を減らす。また、収納体積が小さく、運搬移動に方便であり、使用寿命が長く良好な安全性を有するという効果がある。力を受けると収縮し、側面方向に曲がり元に戻る能力がある故、インラインスケート、スケートボード、及びその他の運動に使用できる。使用者との接触や衝突時に怪我を防ぐことができる他、痛みや不快感を感じさせる問題もない。
【００２０】
また、本考案はさらに伸縮警告表示体３０の蛇腹段３３の外周面に光反射層（未図示）を増設する。光反射層は光反射塗装もしくは光反射シールとしてもよく、より目立たせて識別度を高め、より安全な警告表示効果を発揮させる。
【００２１】
図１１は一実施形態による伸縮警告表示体３０の正面図である。それと前述した実施形態の伸縮警告表示体３０の構造、機能は同じであるが、外形及びサイズは異なり、扁平形状である。
【００２２】
前述の実施形態では、伸縮警告表示体３０は円錐形であるが、実際において伸縮警告表示体３０は、例えば円筒形のような他形状としてもよい（図１０参照）。図１０に示すように底端の外径と頂端の外径は同じであり、同じように圧縮効果を有する。
【００２３】
また、前述実施形態における伸縮警告表示体３０の伸縮効果は、図に示したように複数の構成要素を繋ぎ合わせて実現するもので、各構成要素には少なくとも二つの直径サイズの異なる環状体及び二つの環状体間に連結する壁を備える。しかし、実際には伸縮警告表示体３０の伸縮機能は連続する螺旋構造によって実現され、即ち、二本の直径サイズの異なる螺旋線及び二本螺旋線間に連結する壁によって圧縮効果を発揮している。当然ながら、二種類の構造の組み合わせでもよく、即ち、一つの複数ユニットと一つの螺旋を連結させる構造である。
【００２４】
図６〜９は、本考案の第二実施形態によるセイフティ警告表示器２００である。そのセイフティ警告表示器２００は、前述した実施形態と同様に底板１０、重り２０、及び伸縮警告表示体３０を含む他、さらに増高結合環４０及び増高伸縮警告表示体５０を含む。
【００２５】
底板１０、重り２０、及び伸縮警告表示体３０の構造は前述の実施形態と同様であるので、説明を省く。
【００２６】
図６〜９を参照する。増高結合環４０は円形環体であり一体成形されたもので、底連結部４１、上連結部４２、及び底連結部４１と上連結部４２間に連結される中段連結部４３を備え、中段連結部４３の外径は底連結部４１と上連結部４２の外径を超え、底連結部４１の外周面には、環状で窪みのある底結合環部溝４１１及び底結合環部溝４１１から開口端面間に繋がる底カット部４１２を備える。底カット部４１２は増高結合環４０の軸方向に対して傾斜する。上連結部４２の外周面には環状で窪みのある上部結合環部溝４２１及び上部結合環部溝４２１から開口端面間に繋がる頂部カット部４２２を備える。頂部カット部４２２は増高結合環４０の軸方向に対して傾斜する。
【００２７】
図６〜９を参照する。増高伸縮警告表示体５０は一体成形した可撓性蛇腹形管であり、円錐形をなし、増高伸縮警告表示体５０は、増高底端５１、増高頂端５２、及び増高底端５１と増高頂端５２間に連結される増高蛇腹段５３に分かれる。増高底端５１の外径は増高頂端５２の外径を超え、増高蛇腹段５３の外径は増高底端５１との連結箇所より増高頂端５２との連結箇所に向かって徐々に縮小していく。増高底端５１には軸心に向かう環状の底結合突出部５１１を延伸させ、増高頂端５２の中心には外界から内部に貫かれた上部貫通穴５２１を形成する。
【００２８】
図８は、本実施形態による伸縮警告表示体３０の頂端３２には、軸心に向かう環状の上部結合突出部３２２を延伸させる。
【００２９】
前述には本考案第二実施形態によるセイフティ警告表示器２００の各構成要素を紹介したが、続いて、その組立て方式及び使用特徴について説明する。
【００３０】
まず、底板１０、重り２０、及び伸縮警告表示体３０は、前述の実施形態と同じ方式で結合する。続いて、伸縮警告表示体３０の頂端３２の上部結合突出部３２２を増高結合環４０の底カット部４１２より挿入し（図８参照）、底結合環部溝４１１までスライド移動させ、さらに一回転させると、伸縮警告表示体３０の上部結合突出部３２２と増高結合環４０の底結合環部溝４１１とが嵌着する（図９参照）。さらに、増高伸縮警告表示体５０の増高底端５１の底結合突出部５１１を増高結合環４０の頂部カット部４２２より滑り入れ（図８参照）、上部結合環部溝４２１まで移動してから一回転させると、増高伸縮警告表示体５０の底結合突出部５１１と増高結合環４０の上部結合環部溝４２１とが嵌着し（図９参照）、本考案の組立て作業が完了する。
【００３１】
これにより、本実施形態は前述の実施形態と同じ効果を有する他、さらに伸縮警告表示体３０と増高結合環４０及び増高伸縮警告表示体５０の結合によって、さらに高さを高くすることができ、異なる場所での応用に役立たせ、本考案の応用範囲と使用分野をさらに広範にする。
【００３２】
当然、増高伸縮警告表示体５０の増高蛇腹段５３の外周面及び増高結合環４０の中段連結部４３の外周面に、光反射層（未図示）を増設してもよい。光反射層は光反射塗装もしくは光反射シールとしてもよく、目立たせることで識別度を高め、さらに安全な警告表示効果を提供する。
【００３３】
前述の実施形態による増高伸縮警告表示体は円錐形であるが、実際のところ増高伸縮警告表示体は円筒形としてもよい。即ち、増高底端の外径と増高頂端の外径を同じにすることでも、同様の圧縮効果を達成する。
【００３４】
前述の実施形態による増高伸縮警告表示体５０の伸縮機能は、図に示したような多数のユニット構造をつなぎ合わせて実現されるものである。即ち各ユニット構造には少なくとも二つの直径サイズの異なる環状体及びその二つの環状体間に連結される壁を備える。しかし、実際には、増高伸縮警告表示体５０の伸縮機能は連続する螺旋構造によって実現されている。即ち、二本の直径の異なる螺旋線及び二つの螺旋線間に連結される壁であり、これによって圧縮効果が発揮される。当然ながら、二種類の構造を組み合わせてもよい。即ち、一つの多数ユニットを一つの螺旋に連結させる構造である。
【００３５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３６】
１００    セイフティ警告表示器
１０    底板
１１    基板
１１１    底面
１１２    上面
１２    結合環部
１２１    結合環部溝
１２２    カット部
１３    配置室
２０    重り
３０    伸縮警告表示体
３１    底端
３１１    結合突出部
３２    頂端
３２１    貫通穴
３３    蛇腹段
２００    セイフティ警告表示器
１０    底板
２０    重り
３０    伸縮警告表示体
３２    頂端
３２２    上部結合突出部
４０    増高結合環
４１    底連結部
４１１    底結合環部溝
４１２    底カット部
４２    上連結部
４２１    上部結合環部溝
４２２    頂部カット部
４３    中段連結部
５０    増高伸縮警告表示体
５１    増高底端
５１１    底結合突出部
５２    増高頂端
５２１    上部貫通穴
５３    増高蛇腹段
【図１】
0003206029.tif 000003
【図２】
0003206029.tif 000004
【図３】
0003206029.tif 000005
【図４】
0003206029.tif 000006
【図５Ａ】
0003206029.tif 000007
【図５Ｂ】
0003206029.tif 000008
【図６】
0003206029.tif 000009
【図７】
0003206029.tif 000010
【図８】
0003206029.tif 000011
【図９】
0003206029.tif 000012
【図１０】
0003206029.tif 000013
【図１１】
0003206029.tif 000014